(57)【要約】【課題】  スピニングリールのドラグつまみにおいて、製造コストの増加を抑える。【解決手段】  ドラグつまみ６１のつまみ本体６６は、つまみ部６６ａと、鍔部６６ｂと、後端面が開口する収納凹部６６ｅが形成された収納部６６ｃと、鍔部６６ｂの前後を貫通し収納部６６ｃの後端部の手前部分外周が収納部６６ｃの後端部外周より凹むように合成樹脂を前後方向に型成形することにより略円弧形状に形成され外周部にシール部材６３が装着される複数の溝部６６ｄとを有している。【選択図】      図４
2006136216.tif 000002
【特許請求の範囲】
【請求項１】
スピニングリールのスプールが装着されるスプール軸の前端に螺合してドラグ機構のドラグ力を調整するドラグつまみであって、
前記ドラグ力を手で調整するつまみ部が一体成形された鍔部と、前記鍔部の後部に一体成形され後端面が開口する収納凹部が形成された収納部と、前記鍔部の前後を貫通し前記収納部の後端部の手前部分外周が前記収納部の後端部外周より凹むように型成形によって略円弧形状に形成された複数の溝部とを有するつまみ本体と、
前記収納凹部に回転不能に装着され、前記スプール軸の先端に螺合するナット部材と、
前記収納凹部に一部が収納され、前記ドラグ機構のドラグディスクを押圧する円筒状の押圧部材と、
前記ナット部材と前記押圧部材との間に設けられ、前記押圧部材を前記ナット部材から離反する方向に付勢する付勢部材と、
前記押圧部材を前記収納凹部から抜け止めするための抜け止め部材と、
内周側が前記溝部の外周部かつ外周側が前記スプールの内周部に密着するように装着され、前記スプールと前記つまみ本体との間の隙間をシールするシール部材と、
を備えたスピニングリールのドラグつまみ。
【請求項２】
前記収納部の少なくとも前記溝部が形成されていない後端部分の一部が切り欠かれるように型成形によって形成された切り欠き部と、
前記切り欠き部に装着され、前記シール部材の後端側に接触する耳付き座金とをさらに備えている、請求項１に記載のスピニングリールのドラグつまみ。
【請求項３】
前記抜け止め部材は、前記溝部の外周部に装着され、前記耳付き座金の耳部分を押圧するばね部材であり、
前記押圧部材は、前記収納凹部側端部が他の部分より大径になるように形成され、前記耳付き座金によって抜け止めされるフランジ部を有している、請求項２に記載のスピニングリールのドラグつまみ。
【請求項４】
前記収納部に進退自在に装着されるピン部材と、前記フランジ部の前端側に凹んで形成され前記ピン部材が当接を繰り返して発音する複数の凹部とを有するドラグ発音機構をさらに備えている、請求項１から３のいずれか１項に記載のスピニングリールのドラグつまみ。
【請求項５】
前記シール部材は、内周側が前記溝部に接触するように形成された１対の係合部を有している、請求項１から４のいずれか１項に記載のスピニングリールのドラグつまみ。
【請求項６】
前記シール部材は、外周部先端が径方向外方に尖って形成されたリップ部を有している、請求項１から５のいずれか１項に記載のスピニングリールのドラグつまみ。
【発明の詳細な説明】
【技術分野】
【０００１】
本発明は、ドラグつまみ、特に、スピニングリールのスプールが装着されるスプール軸の前端に螺合してドラグ機構のドラグ力を調整するドラグつまみに関する。
【背景技術】
【０００２】
一般に、フロントドラグ型のスピニングリールでは、スプール内にドラグ機構のドラグディスクが収納されている。ドラグディスクは、スプール軸に螺合するドラグつまみによってドラグ力が調整される。スプールは、スプール軸の先端に回転自在に装着されており、ドラグディスクのうち少なくとも１枚はスプール軸に回転不能に装着されている。スプールには、ドラグディスクを収納するための円柱状の凹部が前端面に形成されている。凹部に収納されたドラグディスクを抜け止めするために、従来、凹部の前側にたとえば機械加工により形成された環状溝と、金属製の弾性を有する線材を多角形状に折り曲げて形成されたばね部材とが用いられている。従来のドラグディスクの抜け止め構造では、ばね部材の角部を環状溝に係止し、角部の間の直線部をドラグディスクに接触させてドラグディスクの抜け止めを行っている。
【０００３】
ドラグつまみは、スプール軸に螺合する合成樹脂製のつまみ本体と、スプール軸に回転不能に装着されドラグディスクを押圧する合成樹脂製の押圧部材とを有している。つまみ本体は、前後方向の型成形により一体的に形成されている。つまみ本体は、円板状の部材であり、前端面に操作用のドラグつまみが、たとえば直径に沿うように突出して形成されている。つまみ本体の後端面には凹部が形成され、その凹部に押圧部材の少なくとも一部が収納されている。押圧部材は、大径の鍔部を有する円柱状の部材であり、この鍔部が凹部に収納さればね部材により抜け止めされてつまみ本体と押圧部材とが一体で前後移動する。
【０００４】
このようなドラグつまみを有するドラグ機構では、一般に、ドラグディスクが水濡れすると、摩擦力が変動し、ドラグつまみを同じ位置にしてもドラグ力が変化する。そこで、ドラグディスクの前方で押圧部材とスプールとの間に弾性樹脂製のシール部材を装着し、ドラグつまみの外周側から水がドラグディスクに浸入しないようにしたものが知られている（たとえば、特許文献１参照）。この種のシール部材は、押圧部材とスプールとの間の隙間が比較的大きいので大径に形成され、このため弾性樹脂の内部にステンレス合金製の補強部材がインサート成形されている。
【特許文献１】特開平１１−１９６７２９号公報
【発明の開示】
【発明が解決しようとする課題】
【０００５】
前記従来のスピニングリールのシール部材は、弾性樹脂の内部にステンレス合金製の補強部材がインサート成形されているので、径方向に伸縮することがなく、このためシール部材の装着位置が限定されるとともに、一般的な弾性樹脂のみで形成されたシール部材に比して製造コスト増加するおそれがある。
【０００６】
そこで、ドラグディスクの前方でドラグつまみの外周に機械加工により形成された環状の溝部に弾性樹脂製のシール部材を装着し、ドラグつまみとスプールとの間から水がドラグディスクに浸入しないようにすることが考えられる。このシール部材は、ドラグつまみとスプールとの間の隙間が比較的小さいので、弾性樹脂の内部にステンレス合金製の補強部材がインサート成形する必要がなくなる。また、ドラグつまみの溝部に弾性樹脂製のシール部材を伸縮して装着しているので、シール部材の装着が容易になる。
【０００７】
しかし、このようなドラグつまみは、前後方向の型成形により一体的に形成されているので、シール部材を装着するための溝部は、切削加工等の後加工により形成する必要が生じる。このため、ドラグつまみの加工に手間がかかるとともに、製造工程が増えることによって製造コストの増加を招くおそれが生じる。
【０００８】
本発明の課題は、スピニングリールのドラグつまみにおいて、製造コストの増加を抑えることにある。
【課題を解決するための手段】
【０００９】
発明１に係るスピニングリールのドラグつまみは、スピニングリールのスプールが装着されるスプール軸の前端に螺合してドラグ機構のドラグ力を調整するドラグつまみであって、ドラグ力を手で調整するつまみ部が一体成形された鍔部と鍔部の後部に一体成形され後端面が開口する収納凹部が形成された収納部と鍔部の前後を貫通し収納部の後端部の手前部分外周が収納部の後端部外周より凹むように型成形によって略円弧形状に形成された複数の溝部とを有するつまみ本体と、収納凹部に回転不能に装着されスプール軸の先端に螺合するナット部材と、収納凹部に一部が収納されドラグ機構のドラグディスクを押圧する円筒状の押圧部材と、ナット部材と押圧部材との間に設けられ押圧部材をナット部材から離反する方向に付勢する付勢部材と、押圧部材を収納凹部から抜け止めするための抜け止め部材と、内周側が溝部の外周部かつ外周側がスプールの内周部に密着するように装着されスプールとつまみ本体との間の隙間をシールするシール部材とを備えている。
【００１０】
このドラグつまみでは、つまみ本体は、前後方向の型成形により収納部と鍔部の前後を貫通し、シール部材が装着される溝部が形成されている。ここでは、溝部が前後方向の型成形により一体的に形成されているので、従来のように切削加工等の後加工を行う必要がなくなる。したがって、つまみ本体の形成が容易になり、さらに製造工程が増えることがないので、製造コストの増加を抑えることができる。
【００１１】
発明２に係るドラグつまみは、発明１のドラグつまみにおいて、収納部の少なくとも溝部が形成されていない後端部分の一部が切り欠かれるように型成形によって形成された切り欠き部と、切り欠き部に装着され、シール部材の後端側に接触する耳付き座金とをさらに備えている。この場合、シール部材の後方への移動を規制できるとともに、シール部材が歪んだり変形したりするのを防止できる。
【００１２】
発明３に係るドラグつまみは、発明２のドラグつまみにおいて、抜け止め部材は、溝部の外周部に装着され、耳付き座金の耳部分を押圧するばね部材である。押圧部材は、収納凹部側端部が他の部分より大径になるように形成され、耳付き座金によって抜け止めされるフランジ部を有している。この場合、耳付き座金及びばね部材によってシール部材及び押圧部材の後方への移動規制を同時かつ容易に行える。
【００１３】
発明４に係るドラグつまみは、発明１から３のいずれかのドラグつまみにおいて、収納部に進退自在に装着されるピン部材と、フランジ部の前端側に凹んで形成されピン部材が当接を繰り返して発音する複数の凹部とを有するドラグ発音機構をさらに備えている。この場合、ドラグつまみを回転操作させたときにピン部材が複数の凹部に当接を繰り返して発音するので、ドラグつまみを回転操作したときに心地よいクリック感を付与することができる。
【００１４】
発明５に係るドラグつまみは、発明１から４のいずれかのドラグつまみにおいて、シール部材は、内周側が溝部に接触するように形成された１対の係合部を有している。この場合、たとえば係合部として内周側が溝部に接触するように突出して形成された１対の係合突起を溝部に係合したり、内周側が溝部に接触するように凹んで形成された１対の係合凹部を溝部に係合することにより、シール部材がつまみ本体に対して回転するのを防ぐことができる。
【００１５】
発明６に係るドラグつまみは、発明１から５のいずれかのドラグつまみにおいて、シール部材は、外周部先端が径方向外方に尖って形成されたリップ部を有している。この場合、シール部材は、スプールとの接触部分に先細り断面のリップ部が形成されているので、スプールとの接触面積が小さくなり、スプールがスプール軸に対して相対回転する際の回転抵抗の増加を抑えることができる。
【発明の効果】
【００１６】
本発明によれば、スピニングリールのドラグつまみにおいて、つまみ本体の溝部が前後方向の型成形により一体的に形成されているので、製造コストの増加を抑えることができる。
【発明を実施するための最良の形態】
【００１７】
〔全体構成及びリール本体の構成〕
本発明の一実施形態を採用したスピニングリールは、図１に示すように、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、リール本体２の左側及び右側のいずれにも装着可能である。
【００１８】
リール本体２は、図１及び図２に示すように、開口を有するリールボディ２ａと、開口を塞ぐようにリールボディ２ａに着脱自在に装着された蓋部材２ｂと、蓋部材２ｂから斜め上前方に延びる竿取付脚２ｃとを有している。リールボディ２ａは内部に空間を有している。この空間内には、ハンドル１の回転に連動してロータ３を回転させるロータ駆動機構５と、スプール４を前後に移動させて釣り糸を均一に巻き取るためのオシレーティング機構６とが設けられている。
【００１９】
ロータ駆動機構５は、図２に示すように、ハンドル１が固定されたメインギア軸１０とともに回転するメインギア１１と、このメインギア１１に噛み合うピニオンギア１２とを有している。ピニオンギア１２は、筒状に形成され、ロータ３の中心部を貫通している。そして、ピニオンギア１２の前部１２ａが、ナット１３によってロータ３に固定されている。また、ピニオンギア１２の中間部と後端部とが、それぞれ軸受１４ａ、１４ｂを介してリール本体２に回転自在に支持されている。
【００２０】
オシレーティング機構６は、図２に示すように、スプール４の中心部を貫通してドラグ機構６０に連結されたスプール軸１５を前後方向に移動させることで、スプール４をドラグ機構６０とともに前後移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、スプール軸１５の後端に回転不能に固定されている。中間ギア２３は、図示しない減速機構を介してピニオンギア１２に噛み合っている。この減速機構によって、オシレーティング機構６の前後移動速度が遅くなり、釣り糸をスプール４に緻密に巻き付けることができる。
【００２１】
〔ロータの構成〕
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは一体に成形されている。
円筒部３０の前部には前壁３３が形成され、この前壁３３の中央部にはボス部３３ａが設けられている。ボス部３３ａの中心部には貫通孔が形成され、この貫通孔をピニオンギア１２の前部１２ａ及びスプール軸１５が貫通している。前壁３３の前部にはナット１３が配置され、このナット１３によってピニオンギア１２の前部１２ａがロータ３に固定されている。
【００２２】
第１ロータアーム３１は、円筒部３０から外方に向けて凸状に湾曲して前方へと延びている。第１ロータアーム３１の先端外周側には、第１ベール支持部材４０が揺動自在に装着されている。第１ベール支持部材４０の先端には、釣り糸をスプール４に案内するためのラインローラ４１が装着されている。第２ロータアーム３２は、円筒部３０から外方に凸に湾曲して前方に延びている。第２ロータアーム３２の先端外周側には、第２ベール支持部材４２が揺動自在に装着されている。ラインローラ４１と第２ベール支持部材４２との間には、線材を略Ｕ状に湾曲させたベール４３が固定されている。これらの第１ベール支持部材４０、第２ベール支持部材４２、ラインローラ４１及びベール４３によって、ベールアーム４４は構成される。ベールアーム４４は、図２に示す糸案内姿勢とそれから反転した糸開放姿勢との間で揺動自在である。
【００２３】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２４】
〔スプールの構成〕
スプール４は、図２から図４に示すように、ロータ３の第１ロータアーム３１と第２ロータアーム３２との間に配置されており、スプール軸１５の先端にドラグ機構６０を介して装着されている。スプール４は、糸巻胴部４ａと、糸巻胴部４ａの前端部に固定された前フランジ部４ｃと、前フランジ部４ｃの前部に配置された前フランジ補強部材４ｂと、前フランジ部４ｃとの間に前フランジ補強部材４ｂを挟持して糸巻胴部４ａに取り付けられた前フランジ固定部材５５と、糸巻胴部４ａの後端部に一体に形成されたスカート部４ｈとを備えている。ここで、糸巻胴部４ａ、前フランジ補強部材４ｂ及び前フランジ部４ｃはステンレスで、前フランジ固定部材５５は合成樹脂で形成されている。
糸巻胴部４ａは、円筒状の部材であり、外周面がスプール軸１５と平行な周面に形成されている。糸巻胴部４ａは、釣り糸が巻き付けられる筒状部４ｄと、筒状部４ｄの内周面に設けられた支持部４ｅとを有している。この糸巻胴部４ａは、支持部４ｅにおいて、スプール軸１５に対して回転自在かつ後方への移動が規制された状態で、スプール軸１５に装着されている。
【００２５】
前フランジ部４ｃは、図３及び図４に示すように、金属薄板をプレス加工してリング状に形成されている。リング状に形成された前フランジ部４ｃは、外周側が前方に向かってテーパ状に傾斜している。また、前フランジ部４ｃは、外周縁を前側に重ねるように折り曲げ加工され、折り曲げ部分４ｆが形成されている。この前フランジ部４ｃは、糸巻胴部４ａの前端部で径方向外方に突出して装着される。
【００２６】
前フランジ補強部材４ｂは、図３及び図４に示すように、前フランジ部４ｃより薄く、かつ糸巻胴部４ａの筒状部４ｄより大径に形成されている。そして、前フランジ補強部材４ｂは、前フランジ部４ｃの折り曲げ部分４ｆの内周縁の内側に配置され、前フランジ部４ｃを糸巻胴部に向けて付勢可能になっている。この前フランジ補強部材４ｂは、等間隔に配置された４本のねじ９０により、前フランジ部４ｃとともに糸巻胴部４ａの前面に固定されている。
【００２７】
前フランジ固定部材５５は、図３及び図４に示すように、外周部が前フランジ部４ｃの折り曲げ部分４ｆに接触して先細りしたテーパ部５５ａと、糸巻胴部４ａの筒状部４ｄの前側内周面に密着する内筒部５５ｂと、テーパ部５５ａと内筒部５５ｂとを連結する連結部５５ｃとを有している。連結部５５ｃでは、４本のねじ９１が、ねじ９０に対して互い違いになるように等間隔に配置されている。このねじ９１が、前フランジ固定部材５５を、前フランジ補強部材４ｂと前フランジ部４ｃとを貫通して糸巻胴部４ａに固定する。
【００２８】
〔ドラグ機構の構成〕
ドラグ機構６０は、図４に示すように、スプール４の糸繰り出し方向への回転を制動して、スプール４にドラグ力を作用させるための機構である。ドラグ機構６０は、スプール軸１５の前端に螺合してドラグ力を手で調整するためのドラグつまみ６１と、ドラグつまみ６１によってスプール４側に押圧されるドラグディスク６２とを備えている。
【００２９】
ドラグつまみ６１は、図４から図７に示すように、合成樹脂を前後方向に型成形することにより一体的に形成され後述する溝部６６ｄを有するつまみ本体６６と、つまみ本体６６に一部が収納されドラグディスク６２を押圧する円筒状の押圧部材６５と、押圧部材６５をつまみ本体６６から抜け止めするための耳付き座金６４及び抜け止め部材６７と、つまみ本体６６に回転不能に装着されスプール軸１５の先端に螺合するナット部材６８と、ナット部材６８と押圧部材６５との間に設けられ押圧部材６５をナット部材６８から離反する方向に付勢する付勢部材６９と、内周側がつまみ本体６６の溝部６６ｄの外周部かつ外周側がスプール４の内周部に密着するように装着されスプール４とつまみ本体６６との間の隙間をシールしてドラグディスク６２への液体の浸入を防止するためするためのシール部材６３とを備えている。
【００３０】
ドラグディスク６２は、図４に示すように、押圧部材６５に接触し、かつスプール軸１５に対して回転不能な複数の金属製円板部材で構成されている。ドラグディスク６２の前面には、抜け止めばね５９が接触している。抜け止めばね５９は、５角形状に形成されている。抜け止めばね５９の各角部は、ドラグディスク６２より径方向外方に突出しており、糸巻き胴部４ａの筒状部４ｄ内周面に形成された環状の係止溝４ｇで係止されている。ドラグディスク６２の後面は、糸巻胴部４ａの支持部４ｅの前面に当接し、後方への移動が規制されている。このため、ドラグつまみ６１をスプール軸１５から外しても、ドラグディスク６２が糸巻胴部４ａから脱落しないようになっている。
【００３１】
押圧部材６５は、つまみ本体６６とドラグディスク６２との間に配置され、つまみ本体６６に装着されたナット部材６８から離反する方向に付勢する付勢部材６９によって、ドラグディスク６２の前面を押圧する部材である。押圧部材６５は、リング状のフランジ部６５ａと、フランジ部６５ａより小径の円筒部６５ｂとを有し、スプール軸１５に軸方向移動自在に取り付けられている。フランジ部６５ａの前端面は、つまみ本体６６の後述する収納凹部６６ｅに当接し、円筒部６５ｂの後端面は、ドラグディスク６２に当接している。
【００３２】
フランジ部６５ａの前端面には、ドラグ作動時に発音する後述するドラグ発音機構５６のピン部材５７が当接可能な複数の凹部６５ｃが周方向に沿って形成されている。また、円筒部６５ｂの内周部には、スプール軸１５の先端に形成された互いに平行な面取り部に回転不能に係止する長溝形状の係止孔６５ｄが形成されている。さらに、円筒部６５ｂの内周部には、コイルばね等の付勢部材６９が圧縮状態で装着されており、このため押圧部材６５がドラグディスク６２に接触させたときドラグディスク６２の前面を押圧するようになっている。
【００３３】
つまみ本体６６は、ドラグ力を手で調整するつまみ部６６ａと、前部につまみ部６６ａが一体成形された鍔部６６ｂと、鍔部６６ｂの後部に一体成形され後端面が開口する段付きの収納凹部６６ｅと、収納凹部６６ｅが形成された収納部６６ｃと、鍔部６６ｂの前後を貫通し収納部６６ｃの後端部の手前部分外周が収納部６６ｃの後端部外周より凹むように型成形によって略円弧形状に形成された複数の溝部６６ｄとを有している。つまみ本体６６は、合成樹脂を前後方向に型成形することにより、つまみ部６６ａ、鍔部６６ｂ、収納部６６ｃ、溝部６６ｄ及び収納凹部６６ｅが一体的に形成されている。つまみ本体６６は、ナット部材６８を介して押圧部材６５と相対回転自在にスプール軸１５に螺合している。
【００３４】
つまみ部６６ａは、鍔部６６ｂの中央部の直径部分に沿って前方に突出して形成された側面視略半円形状の部材である。鍔部６６ｂは、径方向外方に向けて厚みが小さくなるように形成されたリング状の部材である。収納部６６ｃは、鍔部６６ｂの後部に鍔部６６ｂのより小径になるように形成された筒状部材であり、後端面が開口する段付きの収納凹部６６ｅが形成されている。
【００３５】
収納凹部６６ｅは、底部分の内形が非円形、たとえば６角形状になるように形成され、開口部の段差部分の内形が円形になるように形成されている。収納凹部６６ｅの底部分には、たとえば外形が６角形状のナット部材６８が回転不能に装着され、収納凹部６６ｅの開口部の段差部分には、押圧部材６５のリング状のフランジ部６５ａが装着されている。収納凹部６６ｅの開口部の段差部分には、ドラグ発音機構５６のピン部材５７を前後方向に進退自在に装着するための装着孔６６ｇが形成されている。装着孔６６ｇには、ピン部材５７を押圧部材６５の凹部６５ｃ方向に付勢するためのばね部材５８が装着されている。このドラグ発音機構５６では、つまみ部６６ａを回転させると、ピン部材５７が押圧部材６５に対して相対回転し、ピン部材５７が複数の凹部６５ｃに当接を繰り返して発音する。
【００３６】
鍔部６６ｂ及び収納部６６ｃには、外周部にシール部材６３を装着するために、前後を貫通する複数の溝部６６ｄが形成されている。溝部６６ｄは、鍔部６６ｂの前面側から見て略円弧形状に形成されており、つまみ部６６ａを挟んで互いに対向するように２箇所に設けられている。溝部６６ｄは、鍔部６６ｂの前後を貫通し、収納部６６ｃの後端部の手前部分外周が収納部６６ｃの後端部外周より凹むように形成されており、この凹み部分にシール部材６３が装着されている。また、溝部６６ｄが形成された鍔部６６ｂの前面には、図７に示すように、溝部６６ｄを閉塞するために、１対の略半ドーナツ形状のシールからなるシート部材７０が貼付されている。
【００３７】
シール部材６３は、弾性樹脂製の環状部材であって、つまみ本体６６の溝部６６ｄの外周に装着される装着部６３ａと、装着部６３ａから前フランジ固定部材５５の内筒部５５ｂに向かって延びるリップ部６３ｂとを有している。装着部６３ａは、つまみ本体６６の突出部分に向かって延びて形成され、つまみ本体６６の溝部６６ｄに係止可能なリング状の部分である。リップ部６３ｂは、ドラグつまみ６１の押圧部材６５とスプール４の前フランジ固定部材５５との隙間をシールするものであって、外周部先端が径方向外方に尖って形成されている。
【００３８】
収納部６６ｃは、溝部６６ｄの一部及び溝部６６ｄが形成されていない後端部分の一部が切り欠かれるように形成された切り欠き部６６ｆを有している。切り欠き部６６ｆは、図６に示すように、上下方向に対向する２箇所に形成されている。また、シール部材６３は、１対の切り欠き部６６ｆに装着され１対の係合突起６３ｃと、１対の係合突起６３ｃの間に形成され内周側が溝部６６ｄに接触するように凹んで形成された１対の係合凹部６３ｄとをさらに有している。ここでは、係合凹部６３ｄを溝部６６ｄに係合することにより、シール部材６３がつまみ本体６６に対して回転するのを規制できる。
【００３９】
押圧部材６５のフランジ部６５ａの後端面には、上下方向に突出して形成された耳部６４ａを有する環状の耳付き座金６４の内周部分が接触するように取り付けられている。耳付き座金６４は、金属製の部材であって、シール部材６３の後端側に接触するように配置されており、このためシール部材６３の後方への移動を規制できるとともに、シール部材６３の変を防止できる。また、収納部６６ｃの切り欠き部６６ｆには、耳部６４ａが装着されており、耳部６４ａの後面には、環状のばね部材からなる抜け止め部材６７が接触するように溝部６６ｄに取り付けられている。抜け止め部材６７は、両端部が近接する方向に付勢された環状のばね部材であって、図示しない溝部６６ｄの突起部に係止されている。ここでは、耳付き座金６４及び抜け止め部材６７によって、シール部材６３の後方への移動を規制しながら、押圧部材６５をつまみ本体６６に対して抜け止めすることができる。
【００４０】
このようなドラグつまみ６１を組み立てるには、図４及び図７に示すように、つまみ本体６６の収納凹部６６ｅにナット部材６８を装着し、装着孔６６ｇにばね部材５８及びピン部材５７を装着する。次に、収納凹部６６ｅに付勢部材６９に装着し、付勢部材６９を圧縮した状態で押圧部材６５を装着する。次に、つまみ本体６６の溝部６６ｄにシール部材６３を装着し、耳付き座金６４をシール部材６３及び押圧部材６５のフランジ部６５ａに接触するように装着し、抜け止め部材６７をつまみ本体６６の溝部６６ｄに取り付けて固定する。そして、つまみ本体６６の前面に、シート部材７０を貼付して、溝部６６ｄが外部に露出しないように閉塞する。このドラグつまみ６１では、つまみ本体６６、押圧部材６５、ナット部材６８、ばね部材５８及びピン部材５７、付勢部材６９、シール部材６３、耳付き座金６４、抜け止め部材６７及びシート部材７０が１つのユニットとして構成される。
【００４１】
〔リールの操作及び動作〕
釣りを行う前には、まず、魚の大きさや種類に合わせてドラグ力を調整する。ドラグ力は、つまみ部６６ａを回すことによって調節することができる。つまみ部６６ａを時計回りに回すと、スプール軸１５に螺合したナット部材６８が後方へと移動し、付勢部材６９を介して押圧部材６５がドラグディスク６２側に押し込まれる。すると、ドラグディスク６２は糸巻胴部４ａによって後方への移動が規制されているため、ドラグディスク６２の複数の円板部材が互いに押圧しあう。このとき、複数の円板部材はスプール軸１５に対して互いに回転不能になっているので、スプール４に作用するドラグ力は強くなる。このように、スプール４に作用するドラグ力を所定の値に設定しておく。
【００４２】
次に、キャスティングしてリール本体２から釣り糸を繰り出すために、ベールアーム４４を反転させると、第１ベール支持部材４０及び第２ベール支持部材４２が揺動し、ベールアーム４４を糸開放姿勢にすることができる。この状態で、釣竿を握る手の人差し指で釣り糸を引っかけながら釣竿をキャスティングする。すると、釣り糸は仕掛けの重さによって勢いよく前方に放出される。そして、ハンドル１を糸巻取方向に回転させると、ロータ駆動機構５によりロータ３が糸巻取方向に回転し、ベールアーム４４が図示しないベール反転機構により糸巻取位置に復帰し、釣り糸がスプール４に巻き付けられる。
【００４３】
このようなスピニングリールのドラグつまみ６１では、つまみ本体６６は、合成樹脂を前後方向に型成形することにより、つまみ部６６ａ、鍔部６６ｂ、収納部６６ｃ、溝部６６ｄ及び収納凹部６６ｅが一体的に形成されているので、従来のように切削加工等の後加工によって溝部６６ｄを形成する必要がなくなる。したがって、つまみ本体６６の形成が容易になり、さらに製造工程が増えることがなくなるので、製造コストの増加を抑えることができる。
【００４４】
〔他の実施形態〕
（ａ）  前記実施形態では、フロントドラグ機構を有するスピニングリールを例にあげて説明したが、たとえばフロントドラグ機構とレバードラグ機構との両方を有するスピニングリール等の他のスピニングリールにも本発明を適用できる。
【００４５】
（ｂ）  前記実施形態では、押圧部材６５は、耳付き座金６４及び抜け止め部材６７によりつまみ本体６６に抜け止めされていたが、図８から図１０に示すように、耳付き座金６４を用いずに抜け止め部材６７のみで抜け止めする構成にしてもよい。
【００４６】
他の実施形態が採用されたつまみ本体６６は、図８から図１０に示すように、鍔部６６ｂから収納部６６ｃの内周面を通って後端面の手前側まで周方向に間隔を隔てかつスプール軸１５方向に沿って形成されたたとえば４つの係止溝６６ｈをさらに有している。なお、つまみ本体６６には、前記実施形態の耳付き座金６４を装着するための切り欠き部６６ｆが形成されていない。
【００４７】
抜け止め部材６７は、図８及び図１０に示すように、弾性を有する金属線材を折り曲げて形成された部材である。抜け止め部材６７は、装着時に圧縮して四角形になるように形成され、非装着時に僅かに拡がるように形成されている。抜け止め部材６７の四角形の角部６７ａが押圧部材６５のフランジ部６５ａより径方向外方に突出して係止溝６６ｈの形成端に係止され、角部６７ａを連結する接触部６７ｂが押圧部材６５のフランジ部６５ａの後面側に接触する。これにより押圧部材６５がつまみ本体６６に抜け止めされた状態で収納される。
【００４８】
ここでは、四角形になるように折り曲げた抜け止め部材６７によって、簡素な構成で確実に押圧部材６５をつまみ本体６６に対して抜け止めすることができる。
（ｃ）  前記実施形態では、シール部材６３は、係合凹部６３ｄを溝部６６ｄに係合することによりつまみ本体６６に対して回転規制されていたが、図８から図１０に示すように、１対の係合突起６３ｃを溝部６６ｄに係合することによりつまみ本体６６に対して回転規制及び前後方向への移動規制を行う構成にしてもよい。なお、この場合には、収納部６６ｃに形成された溝部６６ｄの前後長さが、シール部材６３の厚みと略同一になるように形成され、収納部６６ｃに形成された溝部６６ｄの幅が、シール部材６３の係合突起６３ｃの幅と略同一になるように形成されている。
【００４９】
ここでは、シール部材６３のつまみ本体６６に対する回転規制及び前後方向への移動規制を容易に行うことができる。
【図面の簡単な説明】
【００５０】
【図１】本発明の一実施形態を採用したスピニングリールの側面図。
【図２】前記スピニングリールの側面断面図。
【図３】スプールの正面図。
【図４】図３のＩＶ−ＩＶ断面図。
【図５】ドラグつまみの正面図。
【図６】前記ドラグつまみの背面図。
【図７】前記ドラグつまみの分解斜視図。
【図８】他の実施形態の図５に相当する図。
【図９】他の実施形態の図８のＩＸ−ＩＸ断面図。
【図１０】他の実施形態の図７に相当する図。
【符号の説明】
【００５１】
４  スプール
１５  スプール軸
５６  ドラグ発音機構
５７  ピン部材
５８  ばね部材
６０  ドラグ機構
６１  ドラグつまみ
６２  ドラグディスク
６３  シール部材
６３ａ  装着部
６３ｂ  リップ部
６３ｃ  係合突起
６３ｄ  係合凹部
６４  耳付き座金
６４ａ  耳部
６５  押圧部材
６５ａ  フランジ部
６５ｂ  円筒部
６５ｃ  凹部
６５ｄ  係止孔
６６  つまみ本体
６６ａ  つまみ部
６６ｂ  鍔部
６６ｃ  収納部
６６ｄ  溝部
６６ｅ  収納凹部
６６ｆ  切り欠き部
６６ｇ  装着孔
６６ｈ  係止溝
６７  抜け止め部材
６８  ナット部材
６９  付勢部材
７０  シート部材
【図１】
2006136216.tif 000003
【図２】
2006136216.tif 000004
【図３】
2006136216.tif 000005
【図４】
2006136216.tif 000006
【図５】
2006136216.tif 000007
【図６】
2006136216.tif 000008
【図７】
2006136216.tif 000009
【図８】
2006136216.tif 000010
【図９】
2006136216.tif 000011
【図１０】
2006136216.tif 000012